(57)【要約】【課題】配管支持部材を強固に支持することができ、かつ、ケーシングが変形しない配管支持部材固定構造およびそれを有する貯湯式給湯装置を提供すること。【解決手段】貯湯式給湯装置の配管支持部材固定構造は、貯湯式給湯装置の貯湯タンク（４，５）と、この貯湯タンク（４，５）を支持するタンク支持脚（６，７）と、このタンク支持脚（６，７）に固定された脚ステー（１）と、この脚ステー（１）に固定された配管支持部材（３）とを備えている。配管支持部材（３）は、配管（４１）等を支持している。【選択図】図１
2014085068.tif 000002
【特許請求の範囲】
【請求項１】
温水を貯留する貯湯タンク（４，５）と、
上記貯湯タンク（４，５）を支持するタンク支持脚（６，７）と、
上記タンク支持脚（６，７）に固定された脚ステー（１）と、
上記脚ステー（１）に固定されると共に、配管（４１）が支持される配管支持部材（３）と
を備えることを特徴とする配管支持部材固定構造。
【請求項２】
請求項１に記載の配管支持部材固定構造において、
上記脚ステー（１）は、上記タンク支持脚（６，７）から水平方向に延びると共に、上下方向の幅を有する帯状の板材であることを特徴とする配管支持部材固定構造。
【請求項３】
請求項２に記載の配管支持部材固定構造において、
上記脚ステー（１）は、水平断面が略コ字状であることを特徴とする配管支持部材固定構造。
【請求項４】
請求項１から３までのいずれか１つに記載の配管支持部材固定構造を有する貯湯式給湯装置。
【発明の詳細な説明】
【技術分野】
【０００１】
本発明は、配管支持部材固定構造および貯湯式給湯装置に関する。
【背景技術】
【０００２】
従来、貯湯式給湯装置に使用される配管支持部材固定構造としては、特開２０１１−３３３２１号公報（特許文献１）に記載のものがある。この配管支持部材固定構造では、貯湯式タンクを収容する筐体の側面部に、配管を支持する配管支持部材をねじで固定している。
【先行技術文献】
【特許文献】
【０００３】
【特許文献１】特開２０１１−３３３２１号公報
【発明の概要】
【発明が解決しようとする課題】
【０００４】
しかしながら、上記従来の配管支持部材固定構造では、配管支持部材を筐体の側面部に固定しているため、筐体の剛性が小さい場合には、筐体が配管支持部材を強固に支持することができないという問題があった。また、配管の重量が大きくなると、筐体の側面部に局部的に大きな荷重がかかって、側面部が変形し易いという問題があった。
【０００５】
そこで、本発明の課題は、配管支持部材を強固に支持することができ、かつ、ケーシングが変形しない配管支持部材固定構造およびそれを有する貯湯式給湯装置を提供することにある。
【課題を解決するための手段】
【０００６】
上記課題を解決するため、本発明の配管支持部材固定構造は、
温水を貯留する貯湯タンクと、
上記貯湯タンクを支持するタンク支持脚と、
上記タンク支持脚に固定された脚ステーと、
上記脚ステーに固定されると共に、配管が支持される配管支持部材と
を備えることを特徴としている。
【０００７】
上記構成の配管支持部材固定構造によれば、上記配管支持部材は、脚ステーを介してタンク支持脚に固定されているから、配管支持部材を強固に支持することができる。上記タンク支持脚は、重量物である貯湯タンクを支持するから、極めて剛性が高く、脚ステーは、この剛性の高い支持脚に固定されるから、脚ステーも剛性が高くなって、配管支持部材を強固に固定できる。
【０００８】
また、従来の配管支持部材固定構造のように、配管支持部材をケーシングに固定しないので、ケーシングが変形することもない。
【０００９】
一実施形態の配管支持部材固定構造では、
上記脚ステーは、上記タンク支持脚から水平方向に延びると共に、上下方向の幅を有する帯状の板材である。
【００１０】
上記実施形態によれば、上記脚ステーは、上記タンク支持脚から水平方向に延びると共に、上下方向の幅を有する帯状の板材である。したがって、脚ステーの上下方向の剛性をより高くできるので、上記配管支持部材をより強固に支持することができる。
【００１１】
一実施形態の配管支持部材固定構造では、
上記脚ステーは、水平断面が略コ字状である。
【００１２】
上記実施形態によれば、上記脚ステーは、水平断面が略コ字状であるので、剛性が高く、また、上記配管支持部材を脚ステーに簡単かつ確実に固定することができる。
【００１３】
本発明の貯湯式給湯装置は、上記配管支持部材固定構造を有することを特徴としている。
【００１４】
上記構成の貯湯式給湯装置によれば、上記配管支持部材固定構造を有するから、上記配管支持部材を強固に支持することができ、かつ、ケーシングが変形することもない。
【発明の効果】
【００１５】
本発明の配管支持部材固定構造によれば、上記配管支持部材は、脚ステーを介してタンク支持脚に固定されているから、配管支持部材を強固に支持することができ、かつ、ケーシングが変形することもない。
【図面の簡単な説明】
【００１６】
【図１】本発明の一実施形態の配管支持部材固定構造が使用される貯湯式給湯装置の斜視図である。
【図２】上記実施形態の配管支持部材固定構造の脚ステーを説明する図である。
【発明を実施するための形態】
【００１７】
以下、本発明を図示の実施形態により詳細に説明する。
【００１８】
図１に示すように、この実施形態の貯湯式給湯装置の配管支持部材固定構造は、貯湯式給湯装置の貯湯タンク４，５と、この貯湯タンク４，５を支持するタンク支持脚６，７と、このタンク支持脚６，７に固定された脚ステー１と、この脚ステー１に固定された配管支持部材３とを備えている。
【００１９】
上記貯湯タンク４，５は、略円筒形状に形成され、図示しない熱源ユニットで加熱された温水を貯留する。上記貯湯タンク４，５は、それぞれ、３本のタンク支持脚によって支持されている。上記貯湯タンク４，５は、湯が満たされて極めて重量が大きくなるものであり、この重量が大きい貯湯タンク４，５を支持するタンク支持脚６，７は、剛性が高いものである。
【００２０】
上記貯湯タンク４，５の周りは、図示しない発泡断熱材で覆われている。また、この発泡断熱材は、図示しないケーシングに覆われている。このケーシングは、図示しない天井パネル、図示しない側面パネル、および底フレーム５１から構成される。
【００２１】
上記タンク支持脚６，７の上部は、上記貯湯タンク４，５の側面下部に固定されている。一方、上記タンク支持脚６，７の下端は、上記ケーシングの底フレーム５１の上面に固定されている。上記底フレーム５１の下面には、底フレーム支持脚５２，５２，５２，５２が取り付けられている。この底フレーム支持脚５２，５２，５２，５２によって、上記底フレーム５１は、支持されている。上記タンク支持脚６，７は、それぞれ、底フレーム支持脚５２，５２の真上に位置している。
【００２２】
上記配管支持部材３は、本体部３１と、この本体部３１に対して略直交するように連なる脚ステー取付部３２とを有している。この本体部３１と脚ステー取付部３２とは、単一の板部材で一体に形成されている。
【００２３】
上記本体部３１は、平面視略長方形に形成され、水平方向に延在している。上記本体部３１の上面には、配管４１が取り付けられている。また、上記本体部３１には、配管を接続するための継手４２が複数設けられている。この継手４２によって、本体部３１の上面および下面には、配管が取り付けられる。また、上記本体部３１には、図示しないが、上記貯湯式給湯装置の電装品等が取り付けられる。
【００２４】
上記脚ステー取付部３２は、水平方向中央部において上記脚ステー１に取り付けられている。一方、上記脚ステー取付部３２の水平方向両端部には、それぞれ、側面視、略三角形に形成された三角補強板１５，１５が取り付けられている。この三角補強板１５，１５は、上記底フレーム５１に取り付けられている。上記本体部３１に取り付けられた配管４１や、上記電装品等の重量は、脚ステー１を介して、タンク支持脚６，７によって支持されると共に、三角補強板１５，１５を介して、底フレーム５１に支持される。
【００２５】
上記脚ステー１は、図２に示すように、上下方向の幅を有する帯状の板材から形成されている。上記脚ステー１は、水平断面が略コ字状である。上記脚ステー１は、タンク支持脚６，７から、それぞれ水平方向に張り出した張出部１１，１２と、この張出部１１，１２に連なる取付部１３とを有している。この取付部１３に対して、上記脚ステー取付部３２が密着して固定される。
【００２６】
上記構成の配管支持部材固定構造によれば、上記配管支持部材３は、脚ステー１を介して剛性の高いタンク支持脚６，７に固定されるから、配管支持部材３を強固に支持することができる。
【００２７】
また、従来の配管支持部材固定構造のように、配管支持部材３をケーシングに固定しないので、ケーシングが変形し難い。
【００２８】
また、上記脚ステー１は、上記タンク支持脚６，７から水平方向に延びると共に、上下方向の幅を有する帯状の板材である。したがって、脚ステー１の上下方向の剛性をより高くできるので、上記配管支持部材３をより強固に支持することができる。
【００２９】
また、上記脚ステー１は、水平断面が略コ字状であるので、剛性が高く、また、上記配管支持部材３を脚ステー１に簡単かつ確実に固定することができる。
【００３０】
また、上記貯湯式給湯装置は、上記配管支持部材固定構造を有するから、上記配管支持部材３を強固に支持することができ、かつ、ケーシングが変形し難い。
【００３１】
なお、この発明は上述の実施形態に限定されない。例えば、上記実施形態では、タンク支持脚６，７と底フレーム支持脚５２，５２とは別体であるが、一体構造物であってもよい。
【００３２】
また、上記実施形態では、上記脚ステー１は、２本のタンク支持脚６，７に固定されていたが、１本のタンク支持脚に固定されていてもよいし、３本以上のタンク支持脚に固定されていてもよい。
【００３３】
また、上記実施形態では、上記脚ステー１は、上下方向の幅を有する帯状の板材から形成されていたが、パイプや中実の棒状部材など他の部材から形成されていてもよい。
【００３４】
また、上記実施形態では、上記脚ステー１は、水平断面が略コ字状であったが、Ｕ字状やＬ字状など他の形状であってもよい。
【００３５】
また、上記実施形態では、上記脚ステー１は、取付部１３を介して、脚ステー取付部３２に密着して固定されていたが、取付部１３および脚ステー取付部３２をなくして、張出部１１，１２を本体部３１に直接取り付けてもよい。
【００３６】
また、上記実施形態では、上記配管支持部材３の脚ステー取付部３２の水平方向両端部に三角補強板１５，１５を取り付けていたが、どちらか一方の端部に取り付けてもよいし、取り付けなくてもよい。
【００３７】
また、上記実施形態では、上記配管支持部材３の本体部３１は水平方向に延在していたが、鉛直方向など他の方向に延在していてもよい。
【００３８】
また、上記実施形態では、貯湯タンク４，５を支持するタンク支持脚は、３本であったが、１本または２本としてもよいし、４本以上としてもよい。
【００３９】
また、上記実施形態では、貯湯タンク４，５は、２つであったが、１つとしてもよいし、３つ以上としてもよい。
【符号の説明】
【００４０】
１  脚ステー
３  配管支持部材
４，５  貯湯タンク
６，７  タンク支持脚
４１  配管
【図１】
2014085068.tif 000003
【図２】
2014085068.tif 000004